(57)【要約】【課題】ボールマーカと甲部の着脱を簡単に行えるようにする。【解決手段】ボールマーカ２０が面ファスナ５，２７を介して甲部３に取り付けられるゴルフ用手袋１において、前記ボールマーカ２０の下面ファスナ部２７の面積が、前記下面ファスナ部２７が接着される前記甲部の上面ファスナ部５の面積より大きく形成され、前記ボールマーカ２０の下面ファスナ部２７は、ウエート調整板２５が内蔵されているホルダ２３の下面に形成され、該ホルダ２３の上面にはマーカ本体部２１が設けられている。【選択図】  図２
0003161282.tif 000002
【実用新案登録請求の範囲】
【請求項１】
ボールマーカが面ファスナを介して甲部に取付けられるゴルフ用手袋において、
前記ボールマーカの下面ファスナ部の面積が、前記下面ファスナ部に接着する前記甲部の上面ファスナ部の面積より大きいことを特徴とするゴルフ用マ−カ。
【請求項２】
前記ボールマーカの下面ファスナ部は、ウエート調整板が内蔵されているホルダの下面に形成され、該ホルダの上面にはマーカ本体部が設けられていることを特徴とする請求項１記載のゴルフ用マーカ。
【請求項３】
前記前記ボールマーカの下面ファスナ部と前記甲部の上面ファスナ部は、相似形に形成されていることを特徴とする請求項１記載のゴルフ用手袋。
【請求項４】
前記甲部の上面ファスナ部とマーカ本体部は、同一円形状に形成されていることを特徴とする請求項１、２、又は、３記載のゴルフ用手袋。
【請求項５】
前記ボールマーカの下面ファスナ部、又は、前記甲部の上面ファスナ部の中央部に、不着部を形成したことを特徴とする請求項１、２、３、又は、４記載のゴルフ用手袋。
【考案の詳細な説明】
【技術分野】
【０００１】
この考案は、ゴルフ用手袋に関するものであり、更に述べると、着脱可能にボールマーカが設けられているゴルフ用手袋に関するものである。
【背景技術】
【０００２】
グリーン上でゴルフプレーを行うときには、ボールマーカを携帯し、ボールの停止位置に置かなければならない。そこで、従来、次のようにしてボールマーカを携帯していた。
（１）ボールマーカをズボンのポケットに入れる。
（２）ゴルフ用手袋の甲部の表面に、柔軟材で形成され、一方に開口部を有するポケット部を縫着する（例えば、特許文献１、参照）、
【０００３】
（３）マジックテープ（登録商標）が縫着された開閉バンドの裏面側にマーカを収納する凹部を設ける(例えば、特許文献２、参照)。
（４）ボールマーカを面ファスナにより甲部に固定する（例えば、特許文献３、参照）。
【先行技術文献】
【特許文献】
【０００４】
【特許文献１】実開昭５０−１２０５７２号公報
【特許文献２】実開昭５０−０７６９５３号公報
【特許文献３】実開平０１−１５０９７８号公報
【考案の概要】
【考案が解決しようとする課題】
【０００５】
前記従来例（１）では、ポケットの中に、ボールマーカのほかに予備のボール、テイーなどが入っていることが多いので、前記ボールマーカを素早く取り出すのは難しい。
【０００６】
前記従来例（２）（特許文献１）では、ポケット部は袋状に形成されているので、ボールマーカを素早く取り出すのは難い。前記従来例（３）(特許文献２)では、ボールマーカの出し入れの都度開閉バンドを開け閉めしなければならないので、煩わしい。
【０００７】
従来例（４）（特許文献３）では、ボールマーカの円形状の面ファスナ部と、前記面ファスナ部に対向する甲部の円形状の面ファスナ部が、同一形状（合同）であるので、ボールマーカの外周部が甲部の面ファスナに密着している。そのため、ボールマーカを甲部から離す際に、該ボールマーカの外周部を指で摘むのが困難であるとともに、指で摘まんでも滑りやすく、引っ張りくい。
【０００８】
この考案は、上記事情に鑑み、ボールマーカと甲部の着脱を簡単に行えるようにすることを目的とする。
【課題を解決するための手段】
【０００９】
この考案は、ボールマーカが面ファスナを介して甲部に取付けられるゴルフ用手袋において、前記ボールマーカの下面ファスナ部の面積が、前記下面ファスナ部に接着する前記甲部の上面ファスナ部の面積より大きいことを特徴とする。
【００１０】
この考案の前記ボールマーカの下面ファスナ部は、ウエート調整板が内蔵されているホルダの下面に形成され、該ホルダの上面にはマーカ本体部が設けられていることを特徴とする。この考案の前記ボールマーカの下面ファスナ部と前記甲部の上面ファスナ部は、相似形に形成されていることを特徴とする。
【００１１】
この考案の前記甲部の上面ファスナ部とマーカ本体部は、同一円形状に形成されていることを特徴とする。この考案の前記ボールマーカの下面ファスナ部、又は、前記甲部の上面ファスナ部の中央部に、不着部を形成したことを特徴とする。
【考案の効果】
【００１２】
この考案は、前記ボールマーカの下面ファスナ部の面積が、前記下面ファスナ部が接着する前記甲部の上面ファスナ部の面積より大きいので、ボールマーカの外周部は、前記甲部に接着しない。そのため、ボールマーカを甲部から離すときには、前記外周部は摘み部となるため、指で摘まんで容易に剥がすことができるので、従来例に比べ、素早くボールマーカを剥がし、所定位置におくことができる。又、甲部の上面ファスナ部はボールマーカにより覆われるので露出しない。そのため、甲部の上面ファスナ部が埃塵などで汚れるのを防止することができる。
【００１３】
この考案のボールマーカの下面ファスナ部は、ウエート調整板が内蔵されているホルダの下面に形成されているので、マーカ本体部が軽すぎる場合には、このウエート調整板のウエートを変えることにより、所望の重量のボールマーカを得ることができる。
【００１４】
この考案の前記ボールマーカの下面ファスナ部、又は、前記甲部の上面ファスナ部の中央部に、不着部を形成したので、ボールマーカの外周部を指で摘まんで剥がすときに、中央部の抵抗が少なくなるので、剥がれやすくなる。
【図面の簡単な説明】
【００１５】
【図１】本考案の第１実施形態を示す平面図である。
【図２】ボールマーカとゴルフ用手袋の甲部の断面拡大図である。
【図３】ボールマーカの接着時の拡大断面図である。
【図４】本考案の第２実施形態を示す平面図である。
【考案を実施するための形態】
【００１６】
この考案の第１実施形態を図１〜図３により説明する。ゴルフ用手袋１の甲部３には、上面ファスナ部５が設けられている。この上面ファスナ部５は、親指７ａと人差し指７ｂの根元交差部９近傍に設けられ、径Ｌの円形状に形成されている。前記上面ファスナ部５の配設位置は、必要に応じて適宜選択することができる。
【００１７】
前記上面ファスナ部５は、長方形状のバンド用面ファスナ部１１に連続している。このバンド用面ファスナ部１１は、締付バンド１５の面ファスナ部（図示省略）に接着する。この締付バンド１５の一端部１５ａは、切込部１３の左側に縫着され、又、前記締付バンドの面ファスナ部は、前記締付バンド１５の他端部１５ｂ側の内面に設けられている。前記締付バンド１５の他端部１５ｂの上隅部には、ボールマーカ２０の一部が入る円弧状の切欠部１５ｃが設けられている。
【００１８】
ボールマーカ２０は、マーカ本体部２１と、該マーカ本体部２１が固定されているホルダ２３と、該ホルダ２３に内蔵されているウエート調整板２５と、前記ホルダ２３の下面に設けられた下面ファスナ部２７と、を備えている。
【００１９】
前記マーカ本体部２１は、円板状に形成されており、その直径Ｌ0は、前記上面ファスナ部５の直径Ｌと等しく形成されている。前記ホルダ２３は、布や合成樹脂などにより形成された上下一対の円板状部材を重ね、その外周部を縫い合わせて一体としたものであり、前記マーカ本体部２１と同心状に形成されている。前記ホルダ２３の直径Ｌ1は、前記マーカ本体部２１の直径Ｌ0より大きく形成されている。従って、前記ホルダ２３の直径Ｌ1は、前記下面ファスナ部５の直径Ｌより大きくなっている。前記ホルダ２３は、必ずしも上記のように形成するは無く、例えば、前記ウエート調整板を収容できる収容部を備えた円板部材、又は、ウエーと調整板と同一重量を備えた部材で形成された円板状部材でもよい。
【００２０】
前記ホルダ２３の中には、ウエート調整板２５が収納されている。このウエート調整板２５は、円板状に形成され、その直径Ｌ2は、マーカ本体部２１の直径Ｌoより大きく、前記ホルダ２３の直径Ｌ1より小さく形成される。前記ウエート調整板２５として、硬質な材料、例えば、プラスチックや金属板等が用いられる。
【００２１】
このウエート調整板２５は、マーカ本体部２１が軽すぎる場合に、ボールマーカ２０を所望の重さにするために用いられるものであり、前記ウエート調子板の大きさや重さは、必要に応じて適宜選択される。マーカ本体部２１が所望の重さを備えている場合には、省略することができる。前記ウエート調整板２５として、硬質な材料、例えば、プラスチックや金属板等が用いられる。
【００２２】
前記ホルダ２３の下面は、円形状に形成され、その全面に下面ファスナ部２７が設けられている。この下面ファスナ部２７は、前記甲部３の上面ファスナ部５と相似形をしているが、必ずしも両者を相似形にする必要はない。
【００２３】
次に、本実施形態の作動について説明する。ゴルフ用手袋１を手に嵌めた後、締付バンド１５の他端部１５ｂ側を甲部３の面ファスナ部１１に接着させる。
次に、ボールマーカ２０の下面ファスナ部２７を甲部３の上面ファスナ部５に対向させた後（図２参照）、前記ボールマーカ２０を前記上ファスナ部５に押し付け接着させる（図３参照）。
【００２４】
この時、甲部３の上面ファスナ５の直径Ｌが、ボールマーカ２０の下面ファスナ２７の直径Ｌ1より小さいので、前記上面ファスナ部５は、ボールマーカ２０により覆われ、露出することはない。そのため、上面ファスナ部５が塵埃等により汚れることを防止することができる。
【００２５】
この状態でグリーンに入ってプレーを行い、ボールマーカ２０が必要になったときには、ホルダ２３の外周部２３ａを指で摘み、矢印Ａ２３方向に引き上げる（図３の一点鎖線参照）。そうすると、前記面ファスナ５、２７の接着が解除され、ボールマーカ２０は、甲部３から離れる。
【００２６】
この時、前記ホルダ２３の外周部２３ａに対応する部分には、甲部３の上面ファスナ部５が無いため、前記外周部２３ａは、摘み部となり、摘みやすく、かつ、引っ張りやすい。又、ホルダ２３内にウエート調整板２５が入っているため、前記外周部２３ａに力を加えて引っ張っても、前記ホルダ２３が大きく変形しないので、下面ファスナ部２７は上面ファスナ部５から剥がれやすい。
【００２７】
前記ボールマーカ２０を所定位置に置き、次にプレーするまで待つ。そして、次にプレーをする場合には、前記ボールマーカ２０を指で摘み、前記と同様な要領で前記甲部３に接着させる。
【００２８】
この考案の第２実施形態を図４により説明するが、前記図１〜図３と同一図面符号は、その名称も機能も同一である。この実施形態と第１実施形態との主なる相違点は、甲部３の上面ファスナ部５の中央部に、面ファスナの無い部分、即ち、不着部３０を設けたことである。
【００２９】
前記不着部３０は、接着が行われない部分なので、ボールマーカ２０を甲部３から剥がすときに、剥がれやすくなる。なお、この不着部３０は、ボールマーカ２０の面ファスナの中央部に形成してもよい。
【００３０】
この考案の実施形態は、上記に限定されるものではなく、例えば、ゴルフ用手袋の甲部等に、磁石、遠赤外線、マイナスイオン等の健康に関する物を設けることができる。
【符号の説明】
【００３１】
１    ゴルフ用手袋
３    甲部
５    上面ファスナ部
２０  ボールマーカ
２１  マーカ本体部
２３  ホルダ
２５  ウエート調整板
２７  下面ファスナ部
３０  不着部  
【図１】
0003161282.tif 000003
【図２】
0003161282.tif 000004
【図３】
0003161282.tif 000005
【図４】
0003161282.tif 000006
【手続補正書】
【提出日】平成22年5月24日(2010.5.24)
【手続補正１】
【補正対象書類名】実用新案登録請求の範囲
【補正対象項目名】全文
【補正方法】変更
【補正の内容】
【実用新案登録請求の範囲】
【請求項１】
ボールマーカが面ファスナを介して甲部に取付けられるゴルフ用手袋において、
前記ボールマーカの下面ファスナ部の面積が、前記下面ファスナ部に接着する前記甲部の上面ファスナ部の面積より大きいことを特徴とするゴルフ用手袋。  
【請求項２】
前記ボールマーカの下面ファスナ部は、ウエート調整板が内蔵されているホルダの下面に形成され、該ホルダの上面にはマーカ本体部が設けられていることを特徴とする請求項１記載のゴルフ用手袋。
【請求項３】
前記ボールマーカの下面ファスナ部と前記甲部の上面ファスナ部は、相似形に形成されていることを特徴とする請求項１記載のゴルフ用手袋。
【請求項４】
前記甲部の上面ファスナ部とマーカ本体部は、同一円形状に形成されていることを特徴とする請求項１、２、又は、３記載のゴルフ用手袋。
【請求項５】
前記ボールマーカの下面ファスナ部、又は、前記甲部の上面ファスナ部の中央部に、不着部を形成したことを特徴とする請求項１、２、３、又は、４記載のゴルフ用手袋。